(57)【要約】【課題】仏壇用花立など、これまでの代用品では割れる、倒れるといったもので怪我などの二次被害も考えられる。使わないときにも雨水が溜まってしまい劣化の原因となっていた。【解決手段】  基台と花立本体とからなり、基台と花立本体とを脱着可能にする連結機構を備えた墓用花立で、前記連結機構は、花立本体の上部、下部に備えた爪部と、基台に２重に備えた受部からなり、花立本体を反転させれば花立本体が蓋となることを特徴とする墓用花立。【選択図】図１
2018193841.tif 000002
【特許請求の範囲】
【請求項１】
花立本体１と基台２からなり、花立本体１は略円筒形状で、上部は下部に対して大きく開いた形状で、下端に基台と連結するための使用時連結部と、上端に花立本体１を逆さにして蓋をする時に基台と連結するための収納時連結部を有し、基台２は円錐台形状で、上面に、受部２１１を円周状に配置した使用時連結部２１と、その外側に受部２１２を円周状に配置した収納時連結部２２を備え、使用するときは、花立本体１の使用時連結部１１と、基台２の使用時連結部２１で連結させ、未使用時に花立本体を逆さにして収納するときは、花立本体１の収納時連結部１２と、基台２の収納時連結部２２とを連結させることを特徴とする墓用花立。
【請求項２】
基台２の底面の内側に、薄い円盤状の基台接着面２３を備え、基台接着面２３の外側周辺には、基台排出口２４を備えたことを特徴とする請求項１記載の墓用花立。
【発明の詳細な説明】
【技術分野】
【０００１】本発明は接着により工事不要で簡易に墓石に取り付け、脱着、逆さにして蓋ができる墓用花立である。
【背景技術】
【０００２】彼岸、盆などの墓参りが集中する時期には、花が多く集まって、花立が足りなくなり、飲料ボトル、缶、瓶、仏壇用花立などで代用されていた。また、劣化等による花立の入れ替え時にもセメント補修等、業者による工事が必要であった。
【発明の概要】
【発明が解決しようとする課題】
【０００３】仏壇用花立など、これまでの代用品では割れる、倒れるといったもので怪我などの二次被害も考えられ、使わないときにも雨水が溜まってしまい劣化の原因となっていた。また、従来品で固定しようとすると工事が必要になり負担が大きくなる。これらを解決しようとするものである。
【課題を解決するための手段】
【０００４】花立本体１と基台２からなり、花立本体１は略円筒形状で、上部は下部に対して大きく開いた形状で、下端に基台と連結するための使用時連結部と、上端に花立本体１を反転させて蓋をする時に基台と連結するための収納時連結部を有し、基台２は円錐台形状で、上面に、受部２１１を円周状に配置した使用時連結部２１と、その外側に受部２１２を円周状に配置した収納時連結部２２を備え、使用するときは、花立本体１の使用時連結部１１と、基台２の使用時連結部２１で連結させ、未使用時に花立本体を逆さにして収納するときは、花立本体１の収納時連結部１２と、基台２の収納時連結部２２とを連結させることを特徴とする墓用花立である。【０００５】基台２の底面の内側に、薄い円盤状の基台接着面２３を備え、基台接着面２３の外側周辺には、基台排出口２４を備えたことを特徴とする墓用花立である。
【発明の効果】
【０００６】上述のように割れない、倒れないに加え取り外し機構を設けていることにより取り外しが可能になり単体で洗えることから衛生面にも配慮されており、逆さにして蓋をすれば雨水の侵入を防ぐことができ、樹脂製により盗難被害も少なくなる。経年劣化により取り替える際にも専用接着材により、程度によるが墓石を傷つけることなく剥がすことも可能である。
【図面の簡単な説明】
【０００７】
【図１】本発明の墓用花立の外観図  （ａ）側面図  （ｂ）斜視図
【図２】本発明の墓用花立の花立本体の連結機構  （ａ）側面図  （ｂ）低面図
【図３】本発明の墓用花立の基台の連結機構  （ａ）斜視図  （ｂ）平面図
【図４】本発明の墓用花立の基台の接着及び排水機構  （ａ）側面図  （ｂ）底面図
【発明を実施するための形態】
【０００８】図１で、本発明の墓用花立の外観をしめす。本発明の墓用花立Ｐは、花立本体１と基台２からなる。基台２は墓石と突形状の基台接着面２３に接着剤等で取り付けられる。
花立本体１は略円筒形状で、上部は下部に対して大きく開いた形状で、下部に基台と連結するための使用時連結部１１と、上部に花立本体１を反転させて雨水の侵入を防ぐために基台２と連結する収納時連結部１２を有する。基台２に対して脱着可能である。
【０００９】基台２は円錐台形状で、上面に、受部２１１を円周状に配置した使用時連結部２１と、その外側に受部２１２を円周状に配置した収納時連結部２２を備える。
通常使用するときは、花立本体１の使用時連結部１１と、基台２の使用時連結部２１で連結させ、未使用時に花立本体を逆さにして収納するときは、花立本体１の収納時連結部１２と、基台２の収納時連結部２２とを連結させる。
【００１０】図２で花立本体の連結機構を示す。（ａ）は側面図、（ｂ）は底面図である。花立本体の下端には使用連結部１１を備え、円周方向に長尺状の爪部１１１（４ヶ所）を、均等に間をおいて配置している。花立本体の上端には、円周方向に収納連結部１２を備え、長尺状の爪部１１２（４ヶ所）を、均等に間をおいて配置している。花立本体は円筒、ラッパ状以外の形状であってもよい。爪部は長尺状以外の形状であってもよい。
【００１１】図３で基台の連結機構を示す。（ａ）は斜視図、（ｂ）は平面図である。
基台２は円錐台形状で、内々側周囲の使用時連結部２１に、花立本体の爪部１１１と係止させるための円周方向に長尺状の受部２１１を、本体の爪部１１１の位置に対応させて４ヶ所、均等に爪部１１１が下方に通れる間を置いて配置する。同様に内側周囲の収納時連結部２２に、花立本体の爪部１１２と係止させるための円周方向に長尺状の受部２１２を、本体の爪部１１２の位置に対応させて４ヶ所、均等に爪部１１２が下方に通れる間を置いて配置する。基台は円錐台形状、円筒以外の形状であってもよい。受部は長尺状以外の形状であってもよい。
【００１２】図４で接着面及び排水機構を示す。（ａ）は側面図、（ｂ）は底面図である。
基台２の底面の内側には薄い円盤状の基台接着面２３を備える。
墓石と基台接着面２３に接着剤等で取り付ける。
基台接着面２３の外側周辺には、基台排出口２４を備え、水が浸入した際にも基台排水口２４より排出される。基台接着面は円状でなくてもよい。基台排水口は長尺形状でなくてもよい。
【００１３】爪部及び、受部は、ともに円周方向に長尺状で、それぞれに同じ角度の重なる傾斜面をつけることによって右回しで圧着、左回しで取り外しができる。
【００１４】以下、使用方法を説明する。
基台２を、墓石芝台部に専用接着剤を用いて取り付ける。実用強度が出たら、花立本体１の爪部１１１を、基台２の受部２１１間の空間に落とし入れ、右回りに回して固定する。
【００１５】取り外し洗浄を行う際には、花立本体１を左に回し、爪部１１１と受部２１１または、爪部１１２と受部２１２を離し、取り付け部分の空間から上に引き上げる。このようにして花立本体１を容易に取り外しができ、花立本体の交換も容易にできる。
【産業上の利用可能性】
【００１６】各店舗への卸業務により需要と供給を期待する。
【符号の説明】
【００１７】  Ｐ  墓用花立
１  花立本体
１１  使用時連結部
１１１  爪部
１２  収納時連結部
１１２  爪部
１３  花立本体底面
２  基台
２１  使用時連結部
２１１  受部
２２  収納時連結部
２１２  受部
２３  基台接着面
２４  基台排出口
【図１】
2018193841.tif 000003
【図２】
2018193841.tif 000004
【図３】
2018193841.tif 000005
【図４】
2018193841.tif 000006
【手続補正書】
【提出日】平成29年11月24日(2017.11.24)
【手続補正１】
【補正対象書類名】特許請求の範囲
【補正対象項目名】請求項１
【補正方法】変更
【補正の内容】
【請求項１】
花立本体１と基台２からなり、花立本体１は略円筒形状で、上部は下部に対して大きく開いた形状で、下端に基台と連結するための使用時連結部と、上端に花立本体１を逆さにして蓋をする時に基台と連結するための収納時連結部を有し、基台２は円錐台形状で、上面に、内側受部２１１を円周状に配置した内側連結部２１と、その外側に外側受部２１２を円周状に配置した外側連結部２２を備え、使用するときは、花立本体１の使用時連結部１１と、基台２の内側連結部２１で連結させ、未使用時に花立本体を逆さにして収納するときは、花立本体１の収納時連結部１２と、基台２の外側連結部２２とを回して連結させることを特徴とする墓用花立。
【手続補正２】
【補正対象書類名】明細書
【補正対象項目名】全文
【補正方法】変更
【補正の内容】
【発明の詳細な説明】
【技術分野】
【０００１】本発明は接着により工事不要で簡易に墓石に取り付け、脱着、逆さにして蓋ができる墓用花立である。
【背景技術】
【０００２】彼岸、盆などの墓参りが集中する時期には、花が多く集まって、花立が足りなくなり、飲料ボトル、缶、瓶、仏壇用花立などで代用されていた。また、劣化等による花立の入れ替え時にもセメント補修等、業者による工事が必要であった。
【発明の概要】
【発明が解決しようとする課題】
【０００３】仏壇用花立など、これまでの代用品では割れる、倒れるといったもので怪我などの二次被害も考えられ、使わないときにも雨水が溜まってしまい劣化の原因となっていた。また、従来品で固定しようとすると工事が必要になり負担が大きくなる。これらを解決しようとするものである。
【課題を解決するための手段】
【０００４】花立本体１と基台２からなり、花立本体１は略円筒形状で、上部は下部に対して大きく開いた形状で、下端に基台と連結するための使用時連結部と、上端に花立本体１を反転させて蓋をする時に基台と連結するための収納時連結部を有し、基台２は円錐台形状で、上面に、内側受部２１１を円周状に配置した内側連結部２１と、その外側に外側受部２１２を円周状に配置した外側連結部２２を備え、使用するときは、花立本体１の使用時連結部１１と、基台２の内側連結部２１で連結させ、未使用時に花立本体を逆さにして収納するときは、花立本体１の収納時連結部１２と、基台２の外側連結部２２とを連結させることを特徴とする墓用花立である。【０００５】基台２の底面の内側に、薄い円盤状の基台接着面２３を備え、基台接着面２３の外側周辺には、基台排出口２４を備えたことを特徴とする墓用花立である。
【発明の効果】
【０００６】上述のように割れない、倒れないに加え取り外し機構を設けていることにより  取り外しが可能になり単体で洗えることから衛生面にも配慮されており、逆さにして蓋をすれば雨水の侵入を防ぐことができ、樹脂製により盗難被害も少なくなる。経年劣化により取り替える際にも専用粘着テープの使用により、墓石を傷つけることなく剥がすことができる。
【図面の簡単な説明】
【０００７】
【図１】本発明の墓用花立の外観図  （ａ）側面図  （ｂ）斜視図
【図２】本発明の墓用花立の花立本体の連結機構  （ａ）側面図  （ｂ）低面図
【図３】本発明の墓用花立の基台の連結機構  （ａ）斜視図  （ｂ）平面図
【図４】本発明の墓用花立の基台の接着及び排水機構  （ａ）側面図  （ｂ）底面図
【発明を実施するための形態】
【０００８】図１で、本発明の墓用花立の外観をしめす。本発明の墓用花立Ｐは、花立本体１と基台２からなる。基台２は墓石と突形状の基台接着面２３に専用粘着テープで取り付けられる。花立本体１は略円筒形状で、上部は下部に対して大きく開いた形状で、下部に基台と連結するための使用時連結部１１と、上部に花立本体１を反転させて雨水の侵入を防ぐために基台２と連結する収納時連結部１２を有する。基台２に対して脱着可能である。
【０００９】基台２は円錐台形状で、上面に、内側受部２１１を円周状に配置した内側連結部２１と、その外側に外側受部２１２を円周状に配置した外側連結部２２を備える。
通常使用するときは、花立本体１の使用時連結部１１と、基台２の内側連結部２１で連結させ、未使用時に花立本体を逆さにして収納するときは、花立本体１の収納時連結部１２と、基台２の外側連結部２２とを連結させる。
【００１０】図２で花立本体の連結機構を示す。（ａ）は側面図、（ｂ）は底面図である。花立本体の下端には使用連結部１１を備え、円周方向に長尺状の爪部１１１（４ヶ所）を、均等に間をおいて配置している。花立本体の上端には、円周方向に収納連結部１２を備え、長尺状の爪部１１２（４ヶ所）を、均等に間をおいて配置している。花立本体は円筒、ラッパ状以外の形状であってもよい。爪部は長尺状以外の形状であってもよい。
【００１１】図３で基台の連結機構を示す。（ａ）は斜視図、（ｂ）は平面図である。
基台２は円錐台形状で、内々側周囲の内側連結部２１に、花立本体の爪部１１１と係止させるための円周方向に長尺状の内側受部２１１を、本体の爪部１１１の位置に対応させて４ヶ所、均等に爪部１１１が下方に通れる間を置いて配置する。同様に内側周囲の外側連結部２２に、花立本体の爪部１１２と係止させるための円周方向に長尺状の外側受部２１２を、本体の爪部１１２の位置に対応させて４ヶ所、均等に爪部１１２が下方に通れる間を置いて配置する。基台は円錐台形状、円筒以外の形状であってもよい。受部は長尺状以外の形状であってもよい。
【００１２】図４で接着面及び排水機構を示す。（ａ）は側面図、（ｂ）は底面図である。
基台２の底面の内側には薄い円盤状の基台接着面２３を備える。
墓石と基台接着面２３に専用粘着テープで取り付ける。
基台接着面２３の外側周辺には、基台排出口２４を備え、水が浸入した際にも基台排水口２４より排出される。基台接着面は円状でなくてもよい。基台排水口は長尺形状でなくてもよい。
【００１３】爪部及び、受部は、ともに円周方向に長尺状で、それぞれに同じ角度の重なる傾斜面をつけることによって右回しで圧着、左回しで取り外しができる。
【００１４】以下、使用方法を説明する。
墓石接地面を水拭き後、乾燥させ、基台２を、墓石芝台部に専用粘着テープを用いて取り付ける。花立本体１の爪部１１１を、基台２の内側受部２１１間の空間に落とし入れ、右回りに回して固定する。
【００１５】取り外し洗浄を行う際には、花立本体１を左に回し、爪部１１１と内側受部２１１または、爪部１１２と外側受部２１２を離し、取り付け部分の空間から上に引き上げる。このようにして花立本体１を容易に取り外しができ、花立本体の交換も容易にできる。
【産業上の利用可能性】
【００１６】各店舗への卸業務により需要と供給を期待する。
【符号の説明】
【００１７】  Ｐ  墓用花立
１  花立本体
１１  使用時連結部
１１１  爪部
１２  収納時連結部
１１２  爪部
１３  花立本体底面
２  基台
２１  内側連結部
２１１  内側受部
２２  外側連結部
２１２  外側受部
２３  基台接着面
２４  基台排出口